(57)【要約】【課題】剛性が強く、高い周波数まで安定して追従できる、対物レンズ駆動装置を提供する。【解決手段】ベース２上に形成された一対のバックヨーク３、３間に配置された対物レンズ４を支持するレンズホルダ５と、一対のバックヨーク３、３とレンズホルダ５との間に配置された一対のマグネット１０、１０、レンズホルダ５の周囲に沿って巻回されたフォーカスコイル６と、レンズホルダ５に設けられたトラッキングコイル９と、を備えた対物レンズ駆動装置１において、ベース２上には、一対のバックヨーク３、３を結ぶ方向にあって、一対のマグネット１０．１０の内側にピン状又は平板状の対向ヨーク７が形成され、レンズホルダ５には、ピン状又は平板状の対向ヨーク７を収納する貫通孔８が形成されている。【選択図】      図１
2006085882.tif 000002
【特許請求の範囲】
【請求項１】
ベース上に形成された一対のバックヨーク間の中央に配置された対物レンズを支持する
レンズホルダと、前記一対のバックヨークと前記レンズホルダとの間に載置された一対の
マグネット、前記レンズホルダの周囲に沿って巻回されたフォーカスコイルと、前記一対
のバックヨークを結ぶ方向の前記レンズホルダ側面に設けられたトラッキングコイルと、
を備え、前記一対のマグネットで生じる磁界と、前記フォーカスコイル及びトラッキング
コイルに流れる電流との相互作用により、前記レンズホルダをディスクに対して可動させ
る対物レンズ駆動装置において、
前記ベース上には、前記一対のバックヨークを結ぶ方向にあって、前記一対のマグネッ
トの内側に複数のピン状又は平板状の対向ヨークが形成され、前記レンズホルダには、前
記複数のピン状又は平板状の対向ヨークを収納する貫通孔が形成されていることを特徴と
する対物レンズ駆動装置。
【請求項２】
ベース上に形成された一対のバックヨーク間の中央に配置された対物レンズを支持する
レンズホルダと、前記一対のバックヨークと前記レンズホルダとの間に載置された一対の
マグネット、前記レンズホルダの周囲に沿って巻回されたフォーカスコイルと、前記一対
のバックヨークを結ぶ方向の前記レンズホルダ側面に設けられたトラッキングコイルと、
を備え、前記一対のマグネットで生じる磁界と、前記フォーカスコイル及びトラッキング
コイルに流れる電流との相互作用により、前記レンズホルダをディスクに対して可動させ
る対物レンズ駆動装置において、
前記レンズホルダには、前記一対のバックヨークに平行な凹部が形成され、前記ベース
上には、一端が固定され、前記一対のバックヨーク及び前記マグネットの上部及び側面を
覆い、他端が前記凹部内にその底部に接触しないように収納されたコ字状のシールド部が
形成されていることを特徴とする対物レンズ駆動装置。
【請求項３】
ベース上に形成された一対のバックヨーク間の中央に配置された対物レンズを支持する
レンズホルダと、前記一対のバックヨークと前記レンズホルダとの間に載置された一対の
マグネット、前記レンズホルダの周囲に沿って巻回されたフォーカスコイルと、前記一対
のバックヨークを結ぶ方向の前記レンズホルダ側面に設けられたトラッキングコイルと、
を備え、前記一対のマグネットで生じる磁界と、前記フォーカスコイル及びトラッキング
コイルに流れる電流との相互作用により、前記レンズホルダをディスクに対して可動させ
る対物レンズ駆動装置において、
前記ベース上には、前記一対のバックヨークを結ぶ方向にあって、前記一対のマグネッ
トの内側に複数のピン状又は平板状の対向ヨークが形成され、前記レンズホルダには、前
記複数のピン状又は平板状の対向ヨークの一方を収納する収納部が設けられ、前記収納部に収納された前記複数のピン状又は平板状の対向ヨークの上端は、前記トラッキングコイルの上端と面一であることを特徴とする対物レンズ駆動装置。
【発明の詳細な説明】
【技術分野】
【０００１】
本発明は、光ディスクを記録、または、再生を行う光ピックアップに用いられる対物レ
ンズ駆動装置に関する。
【背景技術】
【０００２】
光ディスクの記録再生を行う際には、フォーカス及びトラッキングを取るための対物レ
ンズ駆動装置が用いられる。
この対物レンズ駆動装置は、特許文献１に記載されている。
【０００３】
即ち、一対のヨークと、この一対のヨークの内側に設けられた一対の永久磁石と、前記
一対の永久磁石間（第１磁気ギャップ）に設けられた対物レンズを支持する可動体と、前
記可動体に設けられた第１、第２フォーカシングコイル及び前記一対の永久磁石側と直交
方向に設けられた前記一対のヨークを巻回する第１、第２シーク用コイルと、前記一対の
永久磁石間における磁界の向きと直交する磁界の向きを持つ第２磁気ギャップに一辺が通
るように、前記一対のヨークに対向配置された永久磁石と、前記可動体を支持して、ディ
スク半径方向に移動可能にするガイドレールとからなり、フォーカスの使用周波数帯域を
向上させ、シーク方向の駆動力が大きくでき、トラック間を高速移動させることが記載さ
れている。
【０００４】
また、図１０に示すように、レンズホルダ１８の両端部に開口部１８Ａを有し、この開口部１８Ａの内部に永久磁石２４を備えたコの字状のヨーク２３を備えた対物レンズ駆動装置１６もある。
具体的には、この対物レンズ駆動装置１６は、中央部に対物レンズ１７が載置され、こ
の対物レンズ１７を挟むように一対の開口部１８Ａ、１８Ａが形成されたレンズホルダ１
８と、レンズホルダ１８の側面に沿って巻回されたフォーカスコイル１９と、一対の開口
部１８Ａ、１８Ａを結ぶ方向にあって、かつレンズホルダ１８の側面に形成された一対の
トラッキングコイル２０、２０と、一対のトラッキングコイル２０、２０が形成された面
と異なるレンズホルダ１８の両側面に形成された一対のプリント基板２１、２１と、この
一対のプリント基板２１、２１に取り付けられた４つのサスペンションバネ２２と、から
なり、レンズホルダ１８の一対の開口部１８Ａ、１８Ａには、一端がヨーク２３内に収納されるコの字状の同極性の永久磁石２４が設けられている。
この構成により、フォーカスコイル１９と一対のトラッキングコイル２０、２０を通過させる磁束密度を強くできるので、レンズホルダ１８の感度を高く可動させることができる。
これに対し、特許文献２には上述したような図１０に示されているコの字状ヨーク２３がレンズホルダ１８を突き抜けないように構成されていることが記載されている。
【特許文献１】特開平５−１５１３３号公報
【特許文献２】特開２００３−１５００９号公報
【発明の開示】
【発明が解決しようとする課題】
【０００５】
しかしながら、特許文献１に示した対物レンズ駆動装置の場合には、第１磁気ギャップ
があるため、対物レンズ駆動装置の剛性が低かった。また、図１０に示した対物レンズ駆動装置の場合には、レンズホルダ１８に開口部を有しているため、レンズホルダ１８の剛性が低く、高次共振周波数を高くすることができなかった。この結果、高い周波数までの安定した追従を行うことができなかった。また、特許文献２に記載されているようにコの字状ヨーク２３がレンズホルダ１８を突き出さない構成とされているため、ヨーク２３とフォーカスコイルの重なりが一部分となってしまうので、磁束漏れを生じていた。この結果、レンズホルダの感度もわずかしか増加させることができなかった。
【０００６】
そこで、本発明は、前述の課題に鑑みて提案されるものであって、剛性が強く、高い周
波数まで安定して追従できる対物レンズ駆動装置を提供することを目的とする。
【課題を解決するための手段】
【０００７】
本発明における第１の発明は、ベース上に形成された一対のバックヨーク間の中央に配
置された対物レンズを支持するレンズホルダと、前記一対のバックヨークと前記レンズホ
ルダとの間に載置された一対のマグネット、前記レンズホルダの周囲に沿って巻回された
フォーカスコイルと、前記一対のバックヨークを結ぶ方向の前記レンズホルダ側面に設け
られたトラッキングコイルと、を備え、前記一対のマグネットで生じる磁界と、前記フォ
ーカスコイル及びトラッキングコイルに流れる電流との相互作用により、前記レンズホル
ダをディスクに対して可動させる対物レンズ駆動装置において、前記ベース上には、前記
一対のバックヨークを結ぶ方向にあって、前記一対のマグネットの内側に複数のピン状又
は平板状の対向ヨークが形成され、前記レンズホルダには、前記複数のピン状又は平板状
の対向ヨークを収納する貫通孔が形成されていることを特徴とする対物レンズ駆動装置を
提供する。
第２の発明は、ベース上に形成された一対のバックヨーク間の中央に配置された対物レ
ンズを支持するレンズホルダと、前記一対のバックヨークと前記レンズホルダとの間に載
置された一対のマグネット、前記レンズホルダの周囲に沿って巻回されたフォーカスコイ
ルと、前記一対のバックヨークを結ぶ方向の前記レンズホルダ側面に設けられたトラッキ
ングコイルと、を備え、前記一対のマグネットで生じる磁界と、前記フォーカスコイル及
びトラッキングコイルに流れる電流との相互作用により、前記レンズホルダをディスクに
対して可動させる対物レンズ駆動装置において、前記レンズホルダには、前記一対のバッ
クヨークに平行な凹部が形成され、前記ベース上には、一端が固定され、前記一対のバッ
クヨーク及び前記マグネットの上部及び側面を覆い、他端が前記凹部内にその底部に接触
しないように収納されたコ字状のシールド部が形成されていることを特徴とする対物レン
ズ駆動装置を提供する。
第３の発明は、ベース上に形成された一対のバックヨーク間の中央に配置された対物レンズを支持するレンズホルダと、前記一対のバックヨークと前記レンズホルダとの間に載置された一対のマグネット、前記レンズホルダの周囲に沿って巻回されたフォーカスコイルと、前記一対のバックヨークを結ぶ方向の前記レンズホルダ側面に設けられたトラッキングコイルと、を備え、前記一対のマグネットで生じる磁界と、前記フォーカスコイル及びトラッキングコイルに流れる電流との相互作用により、前記レンズホルダをディスクに対して可動させる対物レンズ駆動装置において、  前記ベース上には、前記一対のバックヨークを結ぶ方向にあって、前記一対のマグネットの内側に複数のピン状又は平板状の対向ヨークが形成され、前記レンズホルダには、前記複数のピン状又は平板状の対向ヨークの一方を収納する収納部が設けられ、前記収納部に収納された前記複数のピン状又は平板状の対向ヨークの上端は、前記トラッキングコイルの上端と面一であることを特徴とする対物レンズ駆動装置を提供する。
【発明の効果】
【０００８】
本発明によれば、ベース上には、前記一対のバックヨークを結ぶ方向にあって、前記一
対のマグネットの内側に複数のピン状又は平板状の対向ヨークが形成され、前記レンズホ
ルダには、前記複数のピン状又は平板状の対向ヨークを収納する貫通孔が形成されている
ので、高周波域まで安定して追従できる。
更に、レンズホルダには、前記一対のバックヨークに平行な凹部が形成され、前記ベー
ス上には、一端が固定され、前記一対のバックヨーク及び前記マグネットの上部及び側面
を覆い、他端が前記凹部内にその底部に接触しないように収納されたコ字状のシールド部
が形成されているので、レンズホルダが上方へ最大変位させた時に、シールドの鉛直部の
先端が凹部の底部に当接させることができるので、特別なストッパを必要とせず、レンズ
ホルダの上方への変位量を抑制することができる。
【発明を実施するための最良の形態】
【０００９】
以下、本発明に係る対物レンズ駆動装置の各実施の形態について、図１乃至図９を参照
して詳細に説明する。
図１は、本発明の第１実施の形態に係る対物レンズ駆動装置を示す斜視図である。
図２は、本発明の第１実施の形態に係る対物レンズ駆動装置を示す側面図である。
図３は、本発明の第１実施の形態に係る対物レンズ駆動装置の磁束の流れを説明するための図である。
図４は、本発明の第２実施の形態に係る対物レンズ駆動装置を示す斜視図である。
図５は、本発明の第２実施の形態に係る対物レンズ駆動装置を示す側面図である。
図６は、本発明の第２実施の形態に係る対物レンズ駆動装置の磁束の流れを説明するための図である。
図７は、本発明の第３実施の形態に係る対物レンズ駆動装置を示す斜視図である。
図８は、本発明の第３実施の形態に係る対物レンズ駆動装置を示す側面図である。
図９は、本発明の第３実施の形態に係る対物レンズ駆動装置の磁束の流れを説明するための図である。
【００１０】
まずは、第１実施の形態について図１〜図３を用いて説明する。
図１及び図２に示すように、対物レンズ駆動装置１は、ベース２上に形成された一対の
バックヨーク３、３と、一対のバックヨーク３、３の内側に形成された中央部に貫通孔５
Ａを有し、この貫通孔５Ａに対物レンズ４のレンズ部を収納すると共にその両端部を支持
するレンズホルダ５と、レンズホルダ５の側面に沿って巻回されたフォーカスコイル６と
、ベース２上にあって、一対のバックヨーク３、３の内側に対向配置され、１つのバック
ヨーク３に対して２つずつ形成された合計４本のピン状の対向ヨーク７と、からなる。レンズホルダ５には、合計４本のピン状の対向ヨーク７を収納する合計４箇所の貫通孔８が形成され、これらの合計４箇所の貫通孔８は、レンズホルダ５が最大変位した時に合計４本のピン状の対向ヨーク７がレンズホルダ５と干渉しないように極力小さくしてある。
【００１１】
更に、レンズホルダ５の一対のバックヨーク３、３を結ぶ方向のレンズホルダ５の側面
に２個ずつ形成された一対のトラッキングコイル９、９と、ベース２上にあって、フォー
カスコイル６と一対のバックヨーク３、３との間に接着固定された一対の同極性のマグネ
ット１０、１０と、ベース２上にあって、一対のバックヨーク３、３のうちの一方のバッ
クヨーク３の外側に形成されたサスペンションベース１１と、を有している。
レンズホルダ５は、サスペンションバネ１２、１２を介してサスペンションベース１１
と連結されて、サスペンションバネ１２の動きと共に上下左右に可動するようになってい
る。
【００１２】
次に、その作用について図３を併せ用いて説明する。
フォーカスコイル６及び一対のトラッキングコイル９、９に流された電流と一対のマグ
ネット１０、１０により生じる磁界との相互作用により、対物レンズ４へ入射する記録再
生光がフォーカスコイル６にディスクへのフォーカスする方向及びトラッキングコイル９
、９にディスクへのトラッキングする方向（ディスク半径方向）の力を作用させて、サス
ペンションバネ１２、１２を介してレンズホルダ５を可動させる。こうして、フォーカス
及びトラッキングをとることができる。
この際、図３に示すように、一対のマグネット１０、１０で生じた磁束は、４個の対向
ヨーク７、７、７、７に集めることができるので、フォーカスコイル６及び一対のトラッ
キングコイル９、９を通過する磁束密度を強くでき、レンズホルダ５を高次周波数で可動
させることができるため、レンズホルダ５を高周波域まで安定して追従できる。
【００１３】
以上のように、本発明の第１実施の形態によれば、ベース２上に一対のバックヨーク３
、３と対向配置された複数のピン状の対向ヨーク７と、レンズホルダ５に形成された複数のピン状の対向ヨーク７を収納する複数の貫通孔８と、を有するので、剛性が強く、高周波域まで安定して追従できる。
なお、ピン状の対向ヨーク７の代りに平板状の対向ヨークを用いても良く、この場合に
は、貫通孔８は、この平板状の対向ヨークを収納する形状にすれば良い。
【００１４】
次に、本発明の第２実施の形態について図４乃至図６を用いて説明する。
本発明の第１実施の形態と同一構成には同一符号を付し、その説明を省略する。
図４及び図５に示すように、第２実施の形態の対物レンズ駆動装置１３は、第１実施の
形態における対物レンズ駆動装置１のレンズホルダ５に形成された貫通孔８の代わりに一
対のバックヨーク３、３に平行な所定幅を有し、かつ所定深さの凹部１４が形成され、対
向ヨーク７の代わりにベース２上に一端が接着固定され、バックヨーク３、３及びマグネ
ット１０、１０の上部及び側面を覆い、他端がレンズホルダ５の凹部１４内にその底部に
接触しないように収納されるコ字状のシールド部１５を有し、凹部１４内に収納されたシ
ールド１５の鉛直部１５Ａが形成されたものであり、それ以外は同様である。
【００１５】
図６に示すように、一対のマグネット１０、１０で生じた磁束は、シールド部１５の鉛
直部１５Ａに集めることができるので、フォーカスコイル６及び一対のトラッキングコイ
ル９、９を通過する磁束密度を強くでき、レンズホルダ５を高周波域まで安定して追従で
きる。
【００１６】
第２実施の形態によれば、第１実施の形態の効果に加え、レンズホルダ５が上方へ最大
変位させた時に、シールド部１５の鉛直部１５Ａの先端が凹部１４の底部に当接させるこ
とができるので、特別なストッパを必要とせず、レンズホルダ５の上方への変位量を抑制
することができる。
【００１７】
次に、本発明の第３実施の形態について図７乃至図９を用いて説明する。
本発明の第１実施の形態と同一構成には同一符号を付し、その説明を省略する。
図７及び図８に示すように、第３実施の形態の対物レンズ駆動装置２５は、図１０に示す対物レンズ駆動装置１６の一対のバックヨーク２３がレンズホルダ５の表面より突き出ないようにして、一対のバックヨーク２３、２３を設ける。レンズホルダ５は平行な所定幅を有し、かつ一対のバックヨーク２３における先端部である対向ヨーク２６と一対のフォーカスコイル６の上端部とを面一にしたものであり、それ以外は同様である。
【００１８】
従来は、対向ヨーク２６の先端がフォーカスコイル６の上端部より面一以下の場合は、有効な磁束密度を集めることができず、また、図１０に示すように、レンズホルダ５の上端部から対向ヨーク２６が突き抜けてしまう場合は、シールド効果が無くなり磁束密度漏れを生じていた。
【００１９】
これに対し、図９に示すように、本発明の第３実施の形態においては、ベース２上に形成された一対のバックヨーク２３間の中央に配置された対物レンズ４を支持するレンズホルダ５と、一対のバックヨーク２３とレンズホルダ５との間に載置された一対のマグネット１０、レンズホルダ５の周囲に沿って巻回されたフォーカスコイル６と、一対のバックヨーク２３を結ぶ方向のレンズホルダ５側面に設けられたトラッキングコイル９と、を備え、一対のマグネット１０で生じる磁界と、フォーカスコイル６及びトラッキングコイル９に流れる電流との相互作用により、レンズホルダ５をディスクに対して可動させる対物レンズ駆動装置２５において、ベース２上には、一対のバックヨーク２３を結ぶ方向にあって、一対のマグネット１０の内側に複数のピン状又は平板状の対向ヨーク２６が形成され、レンズホルダ５には、複数のピン状又は平板状の対向ヨーク２６の一方を収納する収納部２７が設けられ、収納部２７に収納された複数のピン状又は平板状の対向ヨーク２６の上端は、トラッキングコイル５の上端と面一である構成とすることにより、フォーカスコイル６と一対のトラッキングコイル９、９を通過させる磁束密度を強くできるので、レンズホルダ５の感度を高く可動させることができる。
【図面の簡単な説明】
【００２０】
【図１】本発明の第１実施の形態に係る対物レンズ駆動装置を示す斜視図である。
【図２】本発明の第１実施の形態に係る対物レンズ駆動装置を示す側面図である。
【図３】本発明の第１実施の形態に係る対物レンズ駆動装置の磁束の流れを説明するための図である。
【図４】本発明の第２実施の形態に係る対物レンズ駆動装置を示す斜視図である。
【図５】本発明の第２実施の形態に係る対物レンズ駆動装置を示す側面図である。
【図６】本発明の第２実施の形態に係る対物レンズ駆動装置の磁束の流れを説明するための図である。
【図７】本発明の第３実施の形態に係る対物レンズ駆動装置を示す斜視図である。
【図８】本発明の第３実施の形態に係る対物レンズ駆動装置を示す側面図である。
【図９】本発明の第３実施の形態に係る対物レンズ駆動装置の磁束の流れを説明するための図である。
【図１０】従来例の対物レンズ駆動装置を示す斜視図である。
【符号の説明】
【００２１】
１、１３、２５…対物レンズ駆動装置、２…ベース、３、２３…バックヨーク、４…対物レンズ、５…レンズホルダ、５Ａ、８…貫通孔、６…フォーカスコイル、７…対向ヨーク、９…トラッキングコイル、１０…マグネット、１１…サスペンションベース、１２…サスペンションバネ、１４…凹部、１５…シールド部、１５Ａ…鉛直部、２６…バックヨーク端（対向ヨーク）、２７…レンズホルダ凹部（収納部）
【図１】
2006085882.tif 000003
【図２】
2006085882.tif 000004
【図３】
2006085882.tif 000005
【図４】
2006085882.tif 000006
【図５】
2006085882.tif 000007
【図６】
2006085882.tif 000008
【図７】
2006085882.tif 000009
【図８】
2006085882.tif 000010
【図９】
2006085882.tif 000011
【図１０】
2006085882.tif 000012